(57)【要約】【課題】  分電盤での減衰を避け、異相の電力線間のＰＬＣ通信を改善する。【解決手段】  ＰＬＣ信号中継装置（３０）のアンテナ部（３２）を部屋＃１への電力配線（Ｎ，Ｌ１）のごく近傍に配置し、アンテナ部（３４）を部屋＃２への電力配線（Ｎ，Ｌ２）のごく近傍に配置する。アンテナ部（３２、３４）間の増幅器（３６）は、アンテナ部（３２）で検出されるＰＬＣ信号を増幅してアンテナ部（３４）に供給すると共に、アンテナ部（３４）で検出されるＰＬＣ信号を増幅してアンテナ部（３２）に供給する。アンテナ部（３２）は、増幅器（３６）からの増幅されたＰＬＣ信号を部屋＃１への電力配線（Ｎ，Ｌ１）に挿入する。同様に、アンテナ部（３４）は、増幅器（３６）からの増幅されたＰＬＣ信号を部屋＃２への電力配線（Ｎ，Ｌ２）に挿入する。【選択図】  図１
2009232068.tif 000002
【特許請求の範囲】
【請求項１】
第１の電力線との間でＰＬＣ信号を送受信する第１のアンテナ部と、
第２の電力線との間でＰＬＣ信号を送受信する第２のアンテナ部と、
当該第１のアンテナ部で受信したＰＬＣ信号を増幅して当該第２のアンテナ部に供給し、当該第２のアンテナ部で受信したＰＬＣ信号を増幅して当該第１のアンテナ部に供給する増幅器
とを具備することを特徴とするＰＬＣ信号中継装置。
【発明の詳細な説明】
【技術分野】
【０００１】
本発明は、ＰＬＣ（Power Line Communication）信号を中継する装置に関する。
【背景技術】
【０００２】
ＰＬＣ通信は、家庭内の電力線をデータ伝送路として使用するものであり、新たにＬＡＮケーブルを敷設しなくても、ＬＡＮを構築できるという利点がある。
【０００３】
データレートの高速化に伴い、家庭内の電力線引き込み口に設置される分電盤をＰＬＣ信号が超えられない、又は超えにくくなるという問題がある。また、電力が単相３線式で引き込まれている場合、異相を使用する部屋間では、速度が落ちたり、通信できなかったりする。
【０００４】
異なる電力線上のＰＬＣ信号を簡易に結合するＰＬＣ信号結合装置が、特許文献１に記載されている。
【特許文献１】特開２００７−２６７０５５号公報
【発明の開示】
【発明が解決しようとする課題】
【０００５】
特許文献１に記載の構成では、高い結合率を実現するのが難しい。また、部屋間でＰＬＣ信号を結合する場合、電力用の延長コードを引くに等しく。ＰＬＣの利点が減却する。
【０００６】
本発明は、このような不都合を解決し、より高い効率でＰＬＣ信号を中継するＰＬＣ信号中継装置を提示することを目的とする。
【課題を解決するための手段】
【０００７】
本発明に係るＰＬＣ信号中継装置は、第１の電力線との間でＰＬＣ信号を送受信する第１のアンテナ部と、第２の電力線との間でＰＬＣ信号を送受信する第２のアンテナ部と、当該第１のアンテナ部で受信したＰＬＣ信号を増幅して当該第２のアンテナ部に供給し、当該第２のアンテナ部で受信したＰＬＣ信号を増幅して当該第１のアンテナ部に供給する増幅器とを具備することを特徴とする。
【発明の効果】
【０００８】
本発明によれば、第１の電力線と第２の電力線との間でＰＬＣ信号を中継できるので、遮断器による減衰を避けることができる。また、第１の電力線と第２の電力線が互いに異相のものであっても、低損失でＰＬＣ信号を中継できる。これにより、高速なＰＬＣ通信を実現できる。
【発明を実施するための最良の形態】
【０００９】
以下、図面を参照して、本発明の実施例を詳細に説明する。
【００１０】
図１は、本発明の一実施例の概略構成ブロック図を示す。分電盤１０の主遮断器１２に、中性線Ｎと２つの電圧線Ｌ１，Ｌ２からなる単相３線式で電力が供給される。中性線Ｎは接地線であり、電圧線Ｌ１，Ｌ２は対地間１００Ｖである。電圧線Ｌ１と電圧線Ｌ２は逆相であり、電圧線Ｌ１と電圧線Ｌ２との間は２００Ｖになる。
【００１１】
分電盤１０は各部屋への電力供給を遮断できる遮断器１４〜２０を具備する。遮断器１４は、中性線Ｎと電力線Ｌ１による１００Ｖを部屋＃１に供給する。遮断器１６は、中性線Ｎと電力線Ｌ２による１００Ｖを部屋＃２に供給する。遮断器１８は、中性線Ｎと電力線Ｌ１による１００Ｖを部屋＃３に供給する。遮断器２０は、中性線Ｎと電力線Ｌ２による１００Ｖを部屋＃４に供給する。
【００１２】
例えば、ＰＬＣモデム２２が部屋＃１に設置され、中性線Ｎと電力線Ｌ１間に接続される。他方、ＰＬＣモデム２４が部屋＃２に設置され、中性線Ｎと電力線Ｌ２間に接続される。ＰＬＣモデム２２、２４間のＰＬＣ信号は、異相の電力線L１、L２を伝搬するので、このままでは、ＰＬＣによる通信の速度を確保できないか、又は、通信そのものが難しくなる。
【００１３】
本実施例では、遮断器１４から部屋＃１への電力配線（Ｎ，Ｌ１）と、遮断器１６から部屋＃２への電力配線（Ｎ，Ｌ２）との間に、ＰＬＣ信号中継装置３０を接続する。電力線を伝搬するＰＬＣ信号は、外部に電波として漏洩している。そこで、ＰＬＣ信号中継装置３０は、非接触接続手段であるアンテナ部３２、３４と、双方向の増幅器３６により、一方の電力線を伝搬するＰＬＣ信号を検出及び増幅して、他方の電力線にＰＬＣ信号を挿入し、他方の電力線を伝搬するＰＬＣ信号を検出及び増幅して、一方の電力線にＰＬＣ信号を挿入する。
【００１４】
即ち、ＰＬＣ信号中継装置３０アンテナ部３２を部屋＃１への電力配線（Ｎ，Ｌ１）のごく近傍に配置し、アンテナ部３４を部屋＃２への電力配線（Ｎ，Ｌ２）のごく近傍に配置する。アンテナ部３２、３４間の増幅器３６は、アンテナ部３２で検出されるＰＬＣ信号を増幅してアンテナ部３４に供給すると共に、アンテナ部３４で検出されるＰＬＣ信号を増幅してアンテナ部３２に供給する。アンテナ部３２は、増幅器３６からの増幅されたＰＬＣ信号を部屋＃１への電力配線（Ｎ，Ｌ１）に挿入する。同様に、アンテナ部３４は、増幅器３６からの増幅されたＰＬＣ信号を部屋＃２への電力配線（Ｎ，Ｌ２）に挿入する。
【００１５】
図２は、アンテナ部３２、３４の概略構成図を示す。増幅器３６は、インピーダンスマッチング回路４０を介してバーアンテナ４２に接続する。バーアンテナ４２は、インピーダンスマッチング回路４０からのコイル４４をフェライトコア４６に巻き付けた構成からなる。バーアンテナ４２をＰＬＣ信号を送受信しやすい向きで電力配線の近傍に配置する。
【００１６】
ＰＬＣ信号中継装置３０により、異相である電力線Ｌ１，Ｌ２に接続するＰＬＣモデム２２、２４間でも、ＰＬＣ信号の伝送損失が少なくなる。これにより、ＰＬＣモデム２２、２４間で高速なＰＬＣ通信を実現できる。
【００１７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００１８】
【図１】本発明の一実施例の概略構成ブロック図である。
【図２】ＰＬＣ信号中継装置３０のアンテナ部３２、３４の概略構成図である。
【符号の説明】
【００１９】
１０：分電盤
１２：主遮断器
１４、１６、１８、２０：遮断器
２２、２４：ＰＬＣモデム
３０：ＰＬＣ信号中継装置
３２、３４：アンテナ部
３６：増幅器
４０：インピーダンスマッチング回路
４２：バーアンテナ
４４：コイル
４６：フェライトコア
【図１】
2009232068.tif 000003
【図２】
2009232068.tif 000004